(57)【要約】【課題】リピート再生の２点間を、ユーザの意思で指定するための手間を軽くした再生装置を提供する。【解決手段】制御部６は、コンテンツデータの再生中に、操作部１０による指定を再生終了時間（Ｂ点）、再生開始時間（Ａ点）の順に受付ける。制御部６は、再生終了時間（Ｂ点）が再生中に指定されると、ＰＵヘッド２に指示して、一定時間巻戻し、該巻戻した時間からコンテンツデータの再生を再開する。そして、操作部１０において再生開始時間（Ａ点）が指定されると、制御部６は、コンテンツデータの、指定された再生開始時間（Ａ点）から再生終了時間（Ｂ点）までの２点間をＰＵヘッド２に繰り返し再生させる。これにより、ユーザは、リピート再生の２点間を登録する場合、終了時間指定キーの操作と開始時間指定キーの操作との２操作だけで操作を終えることができる。【選択図】  図２
2008262617.tif 000002
【特許請求の範囲】
【請求項１】
コンテンツデータを記憶するメディアから、該コンテンツデータを読取って再生する再生手段と、
前記コンテンツデータの再生中に操作され、その操作され時間を再生開始時間として指定する開始時間指定キーと、前記コンテンツデータの再生中に操作され、その操作され時間を再生終了時間として指定する終了時間指定キーと、を有する操作手段と、を備えた再生装置において、
前記コンテンツデータの再生中に、前記操作手段による指定を前記再生終了時間、前記再生開始時間の順に受付ける制御手段を備え、
前記制御手段は、
（１）前記終了時間指定キーで前記再生終了時間が前記再生中に指定されると、予め定められた一定時間前の再生時間から前記コンテンツデータを再生又は早送り再生するよう前記再生手段に指示し、
（２）前記開始時間指定キーで前記再生開始時間が前記再生中に指定されると、前記コンテンツデータの、指定された前記再生開始時間から前記再生終了時間までの２点間を繰り返し再生するよう前記再生手段に指示する再生装置。
【請求項２】
前記再生手段は、前記再生開始時間が指定された時間から前記一定時間前の再生時間まで、巻戻し再生する請求項１に記載の再生装置。
【請求項３】
前記コンテンツデータの再生中、まず、前記再生終了時間の指定を促す第１のメッセージを表示する表示手段を備え、
前記表示手段は、前記操作手段で前記再生終了時間が前記再生中に指定されると、前記再生開始時間の指定を促す第２のメッセージを表示する請求項１又は２に記載の再生装置。
【請求項４】
前記メディアは、ＤＶＤである請求項１から３のいずれかに記載の再生装置。
【発明の詳細な説明】
【技術分野】
【０００１】
本発明は、光ディスク、ハードディスクなどのメディアに記録されているコンテンツデータの2点間を繰り返し再生するリピート再生機能を有する再生装置に関するものである。
【背景技術】
【０００２】
従来、ＤＶＤ（Digital  Versatile  Disk）、ハードディスク等のメディアに記録されているコンテンツデータを読み取って再生する再生装置が一般に普及している。
【０００３】
上記従来の再生装置の中には、メディアに記録されているコンテンツデータの2点間を繰り返し再生するリピート再生機能を有する装置がある。係る装置には、その2点間を登録するため、開始時間指定キーと、終了時間指定キーと、が設けられている。
【０００４】
リピート再生を行う場合、ユーザは、まず、メディアを再生する。そして、コンテンツの視聴中、ユーザは、自分の興味のある再生時間で開始時間指定キーを押下してリピート再生の再生開始時間を指定する。次に、ユーザは、メディアの再生中に、自分の興味のある再生時間で終了時間指定キーを押下してリピート再生の再生終了時間を指定する。このようにして、ユーザは、繰り返し再生する２点間を登録する。
【０００５】
この結果、上記従来の再生装置は、その再生開始時間から該再生終了時間までの２点間をリピート再生する。これにより、ユーザは、コンテンツ中の、自分の興味のある２点間を繰り返し視聴できる。
なお、特許文献１では、リピート再生キーが押下されると、予め設定されたリバース時間だけ戻した再生開始時間から、リピート再生キーが押下された再生終了時間までの２点間をリピート再生する再生装置が提案されている。
【特許文献１】特開２００２−２０８２１２公報
【発明の開示】
【発明が解決しようとする課題】
【０００６】
しかしながら、コンテンツの再生中、指定すべきであった再生開始時間を過ぎてしまってからユーザは繰り返し再生したいと思うのが一般的である。再生開始時間を過ぎてしまってから繰り返し再生したいと思った場合、ユーザは、再生開始時間の前まで一度巻戻して、再生を開始し、再生開始時間を開始時間指定キーで指定しなければならなかった。その後、再生されるコンテンツを視聴しながら、ユーザは、再生終了時間を終了時間指定キーで指定する。即ち、巻き戻しして再生した後に、開始時間指定キーの操作と終了時間指定キーの操作とが必要になるため、合計少なくとも４操作を行わなければならなかった。
このように、従来の再生装置では、リピート再生の２点間を指定するために、非常に手間がかかっていた。そのため、ユーザが煩わしさを感じ、リピート再生機能の利用率が低かった。
【０００７】
一方、特許文献１では、リピート再生キーの押下だけで操作を終えることができるが、再生開始時間が、ユーザの意思に関係なく自動で指定される。そのため、ユーザが、自分の興味のある２点間を確実に指定することができないという問題があった。
【０００８】
本発明はこのような従来の課題を解決しようとするものであり、リピート再生の２点間を、ユーザの意思で指定するための手間を軽くした再生装置を提供することを目的とする。
【課題を解決するための手段】
【０００９】
本発明の再生装置は、前記課題を解決するために以下の構成を備えている。
【００１０】
（１）コンテンツデータを記憶するメディアから、該コンテンツデータを読取って再生する再生手段と、
前記コンテンツデータの再生中に操作され、その操作され時間を再生開始時間として指定する開始時間指定キーと、前記コンテンツデータの再生中に操作され、その操作され時間を再生終了時間として指定する終了時間指定キーと、を有する操作手段と、を備えた再生装置において、
前記コンテンツデータの再生中に、前記操作手段による指定を前記再生終了時間、前記再生開始時間の順に受付ける制御手段を備え、
前記制御手段は、
前記終了時間指定キーで前記再生終了時間が前記再生中に指定されると、予め定められた一定時間前の再生時間から前記コンテンツデータを再生又は早送り再生するよう前記再生手段に指示し、
前記開始時間指定キーで前記再生開始時間が前記再生中に指定されると、前記コンテンツデータの、指定された前記再生開始時間から前記再生終了時間までの２点間を繰り返し再生するよう前記再生手段に指示する。
【００１１】
この構成において、再生装置は、例えば光ディスク装置、ハードディスク装置である。再生時間は、再生中、コンテンツデータの先頭から現在の再生位置までの時間を意味する。メディアでは、コンテンツデータの記憶位置が再生時間で特定される。早送り再生とは、別名高速再生であり、上記再生より再生速度の早い再生である。
【００１２】
この構成では、コンテンツデータの再生中、指定すべきであった再生開始時間を過ぎてから、ユーザが繰り返し再生（リピート再生）したいと思った場面を主に想定している。ここで、再生終了時間は、ユーザが繰り返し再生したいと思った再生時間から近いことが多い。そのため、ここでは、再生終了時間を先にユーザに指定させている。これにより、ユーザは、簡単に再生終了時間を指定できる。
上記の場面で、ユーザは、まず、自分の興味のある２点間の内の再生終了時間を、終了時間指定キーを操作することによって指定する。すると、再生手段は、制御手段の指示を受け、現在の再生時間から上記一定時間前の再生時間まで遡り、遡った再生時間からコンテンツデータを再生する。次に、ユーザは、その再生中、自分の興味のある２点間の内の再生開始時間を、開始時間指定キーを操作することによって指定する。この結果、再生手段は、制御手段の指示を受け、指定された２点間をリピート再生する。
以上より、ユーザは、リピート再生の２点間を登録する場合、終了時間指定キーの操作と開始時間指定キーの操作との２操作だけで操作を終えることができる。よって、再生装置では、リピート再生の２点間を指定するための手間を軽くすることができる。従って、ユーザの使い勝手が向上する。このため、リピート再生機能の利用率も向上できる。
【００１３】
（２）前記再生手段は、前記再生開始時間が指定された時間から前記一定時間前の再生時間まで、巻戻し再生する。
【００１４】
この構成により、ユーザが巻き戻し再生中でもコンテンツデータに基づく画像が再生されるため、再生開始時間を指定できる。
なお、巻戻し再生とは、再生が行われる方向に対して逆向きに再生する逆方向再生である。
【００１５】
（３）前記コンテンツデータの再生中、まず、前記再生終了時間の指定を促す第１のメッセージを表示する表示手段を備え、
前記表示手段は、前記操作手段で前記再生終了時間が前記再生中に指定されると、前記再生開始時間の指定を促す第２のメッセージを表示する。
【００１６】
この構成により、再生開始時間より先に再生終了時間を指定する必要がある旨をユーザに知らせることができる。ユーザは、第１のメッセージを見て、再生終了時間を操作手段の終了時間指定キーで指定する。
また、この構成により、再生終了時間の次に、再生開始時間を指定する必要がある旨をユーザに知らせることができる。ユーザは、第２のメッセージを見て、再生開始時間を操作手段の開始時間指定キーで指定する。
【発明の効果】
【００１７】
この発明によれば、リピート再生の２点間を指定するための手間を軽くすることができる。従って、ユーザの使い勝手が向上する。このため、リピート再生機能の利用率も向上できる。
【発明を実施するための最良の形態】
【００１８】
以下、本発明の実施形態である光ディスク装置について説明する。
【００１９】
図１は、本発明の実施形態である光ディスク装置の主要な構成を示すブロック図である。光ディスク装置１は、装置本体１にセットされている光ディスク１００に対し指定されたアドレスのデータの読取を行うピックアップヘッド２（以下、ＰＵヘッド２という。）と、ＲＦアンプなどの再生回路３と、データをデコードするデコーダ４と、データをD／A変換するD／A回路５と、装置本体１の各部の動作を制御する制御部６と、情報を表示する表示部９と、ユーザからの入力操作を受付ける操作部１０と、制御プログラムを予め記憶する記憶部１１と、を備える。
光ディスク装置１は、所謂ＤＶＤプレーヤである。光ディスク１００は、ブルーレイディスク、ＣＤ、又はＤＶＤである。光ディスク１００には、テレビ番組等のコンテンツが記録されている。
なお、この実施形態では、光ディスク装置で説明しているが、ハードディスクレコーダでも構わない。この場合、メディアは、ハードディスクとなる。
【００２０】
ＰＵヘッド２は、図示しないレーザダイオード（ＬＤ）、コリメータレンズ、ビームスプリッタ、対物レンズ、フォトディテクタ、スレッドモータ、２軸のアクチュエータを備えている。
ＰＵヘッド２は、光ディスク１００の半径方向に延びる軸に移動自在に取り付けられている。スレッドモータ７が、ＰＵヘッド２を光ディスク１００の半径方向に移動させる。
ＬＤは、レーザ光を出力する光源である。フォトディテクタは、複数の受光素子で形成されており、光ディスク１００からの反射光を検出する。フォトディテクタは、例えば、受光領域がほぼ均等に４分割されており、４つの受光領域を形成している。
対物レンズは、光ディスク１００に対するレーザ光の照射位置を調節する。また、２軸のアクチュエータは、対物レンズを光ディスク１００に接離する方向、および光ディスク１００の半径方向に移動させる。
【００２１】
次に、再生時における動作を以下説明する。
ＰＵヘッド２は、光ディスク１００に対して読取パワーのレーザ光を照射し、光ディスク１００からの反射光をフォトディテクタで検出する。これにより、光ディスク１００に記録されているデータを光学的に読み出す。
再生回路３は、ＰＵヘッド２の複数の受光素子の出力に基づいてＲＦ信号を生成して増幅し、該ＲＦ信号を処理してＡＶ（Ａudio  Ｖisual）データを取り出す。ここで、取り出されるＡＶデータは、光ディスク１００のコンテンツが記述されているデータであり、例えばＭＰＥＧ（Moving  Picture  Experts  Group）でエンコードされている。そして、そのＡＶデータは、再生回路３内蔵のバッファＲＡＭ（不図示）に一旦格納された後、順次読み出され、デコーダ４に転送（出力）される。
デコーダ４は、バッファＲＡＭに記憶（格納）されているＡＶデータをデコードする。デコードされたＡＶデータは、デコーダ４内蔵のデコードＲＡＭ（不図示）に一旦格納された後、再び読み出され、D／A回路５に順次転送される。
D／A回路５は、デコーダ４によって伸長されたＡＶデータをアナログの再生信号に変換し、その再生信号を外部に出力する。D／A回路５には、テレビジョン１０１が接続される。ユーザは、テレビジョン１０１において、再生信号に基づく画像および音声を視聴する。
【００２２】
また、操作部１０は、装置本体に対する入力操作を行う複数の操作キー（不図示）や、図示していないリモコンから送信されてきた装置本体１に対する制御コードを受信するリモコン受信部（不図示）を有している。操作部１０は、ユーザにより操作された操作キーに応じた制御コードや、リモコン受信部で受信した制御コードを制御部６に伝送する。
上記複数の操作キーの中には、光ディスク１００に記録されている画像や音声を再生する再生キー（不図示）と、リピート再生を行うリピート再生キー（不図示）と、該リピート再生の再生開始時間を指定するための開始時間指定キー（不図示）と、該リピート再生の再生終了時間を指定するための終了時間指定キー（不図示）と、がある。
【００２３】
ユーザは、リピート再生キーを押下して、コンテンツ中の、自分の興味のある２点間を開始時間指定キーと終了時間指定キーとによって登録する。
【００２４】
図２は、光ディスク１００に記憶されている内容を示す図である。光ディスク１００には、例えば図２に示すように、内周から外周にかけてコンテンツデータであるタイトル９０、９１、及び９２が記録される。
光ディスク装置１は、光ディスク１００に記録されているコンテンツデータの２点間を繰り返し再生するリピート再生機能を有している。ユーザがコンテンツデータの再生開始時間（Ａ点）及び再生終了時間（Ｂ点）の２点を、開始時間指定キー及び終了時間指定キーによって指定する。この結果、光ディスク装置１は、再生開始時間（Ａ点）から該再生終了時間（Ｂ点）までの２点間をリピート再生する。例えば、ユーザは、タイトル９１のＡ点からＢ点までを繰り返し視聴したいと思えば、図２に示すように、再生開始時間（Ａ点）及び再生終了時間（Ｂ点）の２点を指定する。
なお、再生時間は、再生中、コンテンツデータの先頭から現在の再生位置までの時間を意味する。光ディスク１００では、コンテンツデータの記憶位置が再生時間で特定される。
【００２５】
図１に戻り、記憶部１１は、例えばＥＥＰＲＯＭで構成されている。
【００２６】
表示部９は、例えば液晶パネルで構成されている。表示部９は、時刻、光ディスク装置１の設定状態などを表示する。
【００２７】
制御部６は、例えばマイクロコンピュータで構成されている。また、制御部６は、制御プログラムで処理されるデータを展開するワークフィールドとしてのＲＡＭ（不図示）を内蔵する。
【００２８】
ここで、再生回路３及びＰＵヘッド２が、本発明の「再生手段」に相当する。光ディスク１００が、本発明の「メディア」に相当する。光ディスク装置１が、本発明の「再生装置」に相当する。
なお、実際の光ディスク装置では、読取時に、レーザ光の照射時間を光ディスクのトラックの中心に合わせるトラッキングサーボ制御と、レーザ光の合焦時間を光ディスクの記録面に合わせるフォーカスサーボ制御と、を行っているが、本発明の実施形態では図示を省略している。
【００２９】
図３は、本発明の実施形態である光ディスク装置の制御部が行う動作を示すフローチャートである。この動作では、コンテンツデータの再生中、指定すべきであった再生開始時間（Ａ点）を過ぎてから、ユーザが繰り返し再生したいと思った場面を想定している。この動作は、光ディスク１００に記録されているコンテンツデータの再生中にユーザがリピート再生キーを押下した時の動作である。
【００３０】
操作部１０でリピート再生キーが押下されると、制御部６は、再生終了時間（Ｂ点）の指定を促すメッセージを表示部９に表示させる（Ｓ１）。これにより、再生開始時間（Ａ点）より先に再生終了時間（Ｂ点）を指定する必要がある旨をユーザに知らせることができる。ユーザは、このメッセージを見て、再生終了時間（Ｂ点）を操作部１０の終了時間指定キーで指定する。
【００３１】
そして、制御部６は、操作部１０の終了時間指定キーによる再生終了時間（Ｂ点）の指定を受付ける（Ｓ２）。ユーザは、再生中に、自分の興味のある２点間の内の再生終了時間（Ｂ点）で終了時間指定キーを押下して、コンテンツデータの全再生時間から再生終了時間（Ｂ点）を指定する。
【００３２】
制御部６は、再生開始時間（Ａ点）の指定を促すメッセージを表示部９に表示させる（Ｓ３）。これにより、再生終了時間（Ｂ点）の次に、再生開始時間（Ａ点）を指定する必要がある旨をユーザに知らせることができる。ユーザは、このメッセージを見て、再生開始時間（Ａ点）を操作部１０の開始時間指定キーで指定する。
【００３３】
制御部６は、再生終了時間（Ｂ点）が再生中に指定されると、ＰＵヘッド２に指示して、一定時間巻戻しする（Ｓ４）。この結果、ＰＵヘッド２が光ディスク１００の内周に移動する。一定時間は、再生開始時間（Ａ点）より前から再生を再開できるような時間を推定して予め設定しておく。一定時間は、例えば１分、５分、１０分である。
なお、Ｓ４の際、一定時間一気に巻き戻すのでなく、巻き戻しながら再生する巻き戻し再生をしても良い。これにより、ユーザが巻き戻し再生中でもコンテンツデータに基づく画像がテレビジョン１０１において表示されるため、再生開始時間（Ａ点）を指定できる。
【００３４】
制御部６は、ＰＵヘッド２に指示して、該巻戻した時間からコンテンツデータの再生を再開する（Ｓ５）。
なお、Ｓ４において、再生を行う代わりに、早送り再生を行っても構わない。早送り再生は、上記再生の再生速度より早い再生である。この実施形態では、早送り再生の再生速度は、１倍＜該再生速度≦３倍と定める。
【００３５】
そして、制御部６は、操作部１０の開始時間指定キーによる再生開始時間（Ａ点）の指定を受付ける（Ｓ６）。ユーザは、再生中に、自分の興味のある２点間の内の再生開始時間（Ａ点）で開始時間指定キーを押下して、コンテンツデータの全再生時間から再生開始時間（Ａ点）を指定する。
【００３６】
Ｓ２及びＳ６において、制御部６が、コンテンツデータの再生中に、操作部１０による指定を再生終了時間（Ｂ点）、再生開始時間（Ａ点）の順に受付けている（図２参照）。ここで、コンテンツデータの再生中、指定すべきであった再生開始時間（Ａ点）を過ぎてから、ユーザが繰り返し再生したいと思うのが一般的である。そして、再生終了時間（Ｂ点）は、ユーザが繰り返し再生したいと思った再生時間から近いことが多い。そのため、Ｓ２及びＳ６において、再生終了時間（Ｂ点）を先にユーザに指定させている。これにより、ユーザは、簡単に再生終了時間（Ｂ点）を指定できる。後は、再生開始時間（Ａ点）を指定するだけで済む。
【００３７】
最後に、制御部６は、操作部１０において、再生終了時間（Ｂ点）、再生開始時間（Ａ点）の順に指定されると、コンテンツデータの、指定された再生開始時間（Ａ点）から再生終了時間（Ｂ点）までの２点間をＰＵヘッド２に繰り返し再生させる（Ｓ７）。そして、制御部６は、本処理を終了する。
【００３８】
以上より、ユーザは、リピート再生の２点間を登録する場合、終了時間指定キーの操作と開始時間指定キーの操作との２操作だけで操作を終えることができる。一方、従来の再生装置では、巻き戻しして再生した後に、開始時間指定キーの操作と終了時間指定キーの操作とが必要であるため、合計４操作を行わなければならなかった。
よって、光ディスク装置１では、リピート再生の２点間を指定するための手間を軽くすることができる。従って、ユーザの使い勝手が向上する。このため、リピート再生機能の利用率も向上できる。
【図面の簡単な説明】
【００３９】
【図１】本発明の実施形態である光ディスク装置の主要な構成を示すブロック図
【図２】光ディスク１００に記憶されている内容を示す図
【図３】本発明の実施形態である光ディスク装置の制御部が行う動作を示すフローチャート
【符号の説明】
【００４０】
１−光ディスク装置
２−ＰＵヘッド
３−再生回路
４−デコーダ
５−Ａ／Ｄ回路
６−制御部
９−表示部
１０−操作部
１１−記憶部
９０、９１、９２−タイトル
１００−光ディスク
１０１−テレビジョン
【図１】
2008262617.tif 000003
【図２】
2008262617.tif 000004
【図３】
2008262617.tif 000005